(57)【要約】  本発明は、マルチメディアコンテンツ提供システム及びその方法に関し、該システム及び方法は、リアルタイムの映像情報の提供、維持、及びコンテンツの提供業務を支援するアプリケーションを通じて、映像情報を含む様々なコンテンツを迅速かつ正確に提供する。本発明のマルチメディアコンテンツ提供システムは、マルチメディアコンテンツの情報を提供するために設置されたマルチメディアプレイヤーの実行により、入力された商品情報または広報サービス情報のコンテンツを表示するユーザ端末と、ユーザ端末にマルチメディアプレイヤー応用プログラムのダウンロードサービスを提供し、ウェブサイトによって制作及び提供される商品情報または広報サービス情報のコンテンツを保存した後、ユーザの要求信号または自動実行プログラムの実行信号に基づいて、マルチメディアプレイヤーを通じて保存された情報を提供するコンテンツサーバーを備えている。
2010529702.tif 000002
【特許請求の範囲】
【請求項１】
マルチメディアコンテンツ提供システムであって、
マルチメディアコンテンツ情報を提供するために設置されたマルチメディアプレイヤーの実行により、入力された商品情報または広報サービス情報のコンテンツを表示するユーザ端末と、
前記ユーザ端末にマルチメディアプレイヤー応用プログラムのダウンロードサービスを提供し、ウェブサイトで制作及び提供される商品情報または広報サービス情報のコンテンツを保存した後、ユーザからの要求信号または自動実行プログラムの実行信号に基づき、前記マルチメディアプレイヤーを通じて保存された情報を提供するコンテンツサーバーと
を備えるマルチメディアコンテンツ提供システム。
【請求項２】
前記マルチメディアプレイヤーは、アプリケーションを備え、前記アプリケーションは、応用プログラムの形式でロードされ、前記ユーザ端末内に第１デスクトップ環境とは別の第２デスクトップ環境にあるウィンドウによって実装され、さらに、リアルタイムでマルチメディアコンテンツを提供またはアップロードする機能を支援する、請求項１に記載のシステム。
【請求項３】
前記マルチメディアプレイヤーは、
前記ユーザ端末に保存された商品情報及び広報サービス情報を含むメディアコンテンツを再生する再生アクティブウィンドウと、
前記コンテンツサーバーによって支援される複数のマルチメディアコンテンツをタイトル別に並べ、かつ少なくとも一つはＵＣＣ（Ｕｓｅｒ  Ｃｒｅａｔｅｄ  Ｃｏｎｔｅｎｔ）関連メニューを含んでいる構成メニューを表示することにより、ユーザが希望のマルチメディアコンテンツを選択できるようにするメニュー選択画面と、
前記複数のマルチメディアコンテンツのうち、多様なテキストまたはグラフィック情報を表示するページ情報画面と、
ユーザが制作及び提供するＵＣＣ商品情報及び広報サービス情報のアップロードを要求するアップロード要求ボタンと、
前記再生アクティブウィンドウ及び前記ページ情報画面に提供された商品の周辺に形成され、前記商品の購入を要求する購入ボタンと
を備える、請求項２に記載のシステム。
【請求項４】
前記マルチメディアプレイヤーは、マルチメディアコンテンツのアップロードを通じてフォーマット変換を要求するフォーマット変換要求ボタンをさらに備える、請求項３に記載のシステム。
【請求項５】
前記コンテンツサーバーは、
前記ユーザ端末及び前記ウェブサイトとのデータ送受信を行い、前記ユーザ端末の通信アクセスの際に入力された入力データ及び前記ウェブサイトから提供されるマルチメディアコンテンツを受信し、前記マルチメディアプレイヤー上に提供されるマルチメディアコンテンツ情報を配信するネットワーク連結部と、
前記ユーザまたは前記ウェブサイトが前記コンテンツサーバーの会員であるかどうかの認証を行う会員認証部と、
会員情報及びコンテンツ情報を保存する情報ＤＢと、
前記ウェブサイトから提供される商品情報及び広報サービス情報に基づいてマルチメディアコンテンツ情報を前記ユーザ端末に提供できるようにデータを処理するコンテンツ処理部と、
前記ユーザ端末にロードされた前記マルチメディアプレイヤーの操作及び駆動を制御し、ユーザが要求した制御命令信号に基づいて、特定のコンテンツに関する情報を前記ユーザ端末に提供する応用プログラム駆動部と
を備える、請求項１に記載のシステム。
【請求項６】
前記会員認証部は、
商品情報及び広報サービス情報に基づいてマルチメディアコンテンツを提供するために開設され、さらに会員契約を結んだウェブサイトを認証するウェブサイト認証部と、
ユーザが自ら制作したＵＣＣコンテンツのアップロード及びマルチメディアコンテンツ情報を得るために会員に加入したユーザを認証するユーザ認証部と
を備える、請求項５に記載のシステム。
【請求項７】
前記コンテンツ処理部は、
前記コンテンツサーバーに保存されたマルチメディアコンテンツをデータ属性別に分類するデータ分離部と、
定められた規定をデータ属性別に分類された前記マルチメディアコンテンツに適用することによってコンテンツを選別するデータフィルタリング部と、
前記選別されたコンテンツにデジタルデータ処理を行うことによって、前記コンテンツを前記ユーザ端末に転送可能なデータに変換するデータ変換部と、
データがネットワークを通じて前記ユーザ端末に転送される速度を検査し、検査した速度を基準速度と比較することによって前記変換されたデータの転送方式を決定するデータ処理部と
を備える、請求項５に記載のシステム。
【請求項８】
前記データ属性は、オーディオ、ビデオ、動画、テキスト、グラフィックを含む、請求項７に記載のシステム。
【請求項９】
前記データの転送方式は、ストリーミング方式とダウンロード方式のうち少なくともいずれか一つを備える、請求項８に記載のシステム。
【請求項１０】
前記コンテンツサーバーは、ユーザの要求信号または内蔵された自動実行プログラムの実行信号に基づき、アップロードしたマルチメディアコンテンツのフォーマットをユーザが要求するフォーマットに変換するフォーマット駆動部をさらに備え、
前記フォーマット駆動部は、
前記ユーザ端末からのアップロードによりフォーマット変換が要求されたマルチメディアコンテンツのフォーマットの種類を分析するフォーマット分析部と、
前記フォーマット分析部で分析されたフォーマットの種類に基づいて、要求されたフォーマットに適した空間解像度、フレームレート、スキャン方式及び縦横比のうち少なくとも一つを適用して前記マルチメディアコンテンツをフォーマット変換するフォーマット変換部と、
フォーマット変換に関する規定により、前記フォーマット変換部で変換された前記マルチメディアコンテンツの映像編集をするフォーマット編集部と
を備える、請求項５に記載のシステム。
【請求項１１】
前記情報ＤＢは、
前記ウェブサイトから提供される商品情報及び広報サービス情報に基づくマルチメディアコンテンツ情報を保存するコンテンツ情報ＤＢと、
マルチメディアコンテンツを提供するために会員契約を結んだウェブサイトの情報を保存するウェブサイト情報ＤＢと、
会員に加入したユーザの情報を保存するユーザＤＢと、
ユーザが自ら制作、提供及びアップロードしたＵＣＣ及びアップロードされたＵＣＣのフォーマットをユーザが要求したフォーマットに変換したマルチメディアコンテンツのうち少なくとも一つを保存するＵＣＣ情報ＤＢと
を備える、請求項５に記載のシステム。
【請求項１２】
前記応用プログラム駆動部は、ユーザがマウス、キーボードまたは所定の制御ソフトウェアを使用し、再生アクティブウィンドウで再生される動画から特定のイメージを選択すると、前記特定のイメージの入力値を受信し、前記コンテンツ情報ＤＢから該当のイメージの値に対応する商品情報を抽出し、前記ユーザ端末に前記抽出した情報を提供する、請求項１１に記載のシステム。
【請求項１３】
マルチメディアコンテンツ提供方法であって、
会員契約を結んだウェブサイトから提供された商品情報及び広報サービス情報に基づいて入力されたマルチメディアコンテンツを受信及び保存する（ａ）段階と、
会員に加入したユーザ端末に、マルチメディアプレイヤー応用プログラムのダウンロードサービスを提供して、前記ユーザ端末にマルチメディアプレイヤーを実行させることによって、前記ユーザ端末との通信アクセスを実行する（ｂ）段階と、
前記保存されたマルチメディアコンテンツをユーザ端末に提供できるようにデータ処理を行う（ｃ）段階と、
データ処理された前記マルチメディアコンテンツを前記ユーザ端末で実行されている前記マルチメディアプレイヤーに提供する（ｄ）段階と
を備えるマルチメディアコンテンツ提供方法。
【請求項１４】
前記（ａ）段階は、ユーザがアップロードしたＵＣＣ商品情報及び広報サービス情報を保存する（ａ１）段階を備え、
前記（ａ１）段階は、
ユーザがアップロード要求ボタンをクリックしてコンテンツサーバーにアップロードを要求する段階と、
前記マルチメディアプレイヤーを通じ、前記ユーザ端末に、ＵＣＣファイルを添付する添付ファイル画面及びＵＣＣのタイトルを書き込むタイトル書込み画面を含むアップロード画面を提供する段階と、
ユーザ自身が制作または保有しているＵＣＣ商品情報及び広報サービス情報を入力及び保存する段階と
を備える、請求項１３に記載の方法。
【請求項１５】
前記（ｃ）段階は、
前記保存されたマルチメディアコンテンツをオーディオ、ビデオ、動画、テキスト、グラフィックのうち少なくとも一つに該当するデータ属性別にデータを分類する段階と、
定められた規定を前記データ属性別に分類されたマルチメディアコンテンツに適用してコンテンツを選別する段階と、
前記選別されたコンテンツにデジタルデータ処理を行い、前記コンテンツを前記ユーザ端末に転送可能な通信プロトコルに変換する段階と、
コンテンツデータの転送のために、ネットワークを通じてデータがアクセスされたユーザ端末に転送される速度を検査し、前記検査された速度を基準速度と比較する段階と、
前記検査の結果、検査された速度が基準速度以上であると判断されると、ストリーミング方式で前記変換されたコンテンツデータを前記ユーザ端末に転送する段階と、
前記検査の結果、検査された速度が基準速度に満たないと判断されると、ダウンロード方式で前記変換されたコンテンツデータを前記ユーザ端末に転送する段階と
を備える、請求項１３に記載の方法。
【請求項１６】
ユーザが、マウス、キーボードまたは所定の制御ソフトウェアを使用し、前記マルチメディアプレイヤーを通じて再生される動画から特定のイメージを選択すると、前記特定のイメージの入力値を受信し、該当するイメージの値に対応する商品情報を抽出し、前記ユーザ端末に前記抽出した情報を提供する段階をさらに備える、請求項１３に記載の方法。
【請求項１７】
マルチメディアコンテンツ提供方法であって、
ユーザ端末にマルチメディアプレイヤー応用プログラムのダウンロードサービスを提供し、ユーザ端末にマルチメディアプレイヤーを実行させてユーザ端末との通信アクセスを行う（ａ）段階と、
前記マルチメディアプレイヤーを通じ、ユーザが制作または保有するマルチメディアコンテンツをアップロードし、前記アップロードされたマルチメディアコンテンツのフォーマットを要求されたフォーマットに変換する（ｂ）段階と、
前記フォーマット変換が完了したマルチメディアコンテンツを前記ユーザ端末で実行されている前記マルチメディアプレイヤーに提供する（ｃ）段階と
を備えるマルチメディアコンテンツ提供方法。
【請求項１８】
前記（ｃ）段階は、前記マルチメディアコンテンツのフォーマット変換の完了通知を、前記ユーザ端末で実行されている前記マルチメディアプレイヤーに提供する段階を備える、請求項１７に記載の方法。
【請求項１９】
前記（ｂ）段階は、
ユーザがフォーマット変換要求ボタンをクリックしてコンテンツサーバーにフォーマット変換要求信号を入力する（ｂ１）段階と、
前記マルチメディアプレイヤーを通じて、前記ユーザ端末に、ＵＣＣファイルを添付する添付ファイル画面、ＵＣＣのタイトルを書き込むタイトル書込み画面及びフォーマット変換用のフォーマットの種類を含むフォーマット変換画面を提供する（ｂ２）段階と、
前記フォーマット変換画面を通じてユーザが制作または保有するマルチメディアコンテンツをアップロードし、保存する（ｂ３）段階と、
前記保存されたマルチメディアコンテンツのフォーマットの種類を分析し、分析されたフォーマットの種類に基づいて、前記マルチメディアコンテンツのフォーマットをユーザが要求したフォーマットに変換する（ｂ４）段階と
を備える、請求項１７に記載の方法。
【請求項２０】
前記（ｂ４）段階は、
アップロード及び保存された前記マルチメディアコンテンツのフォーマットの種類を分析する段階と、
前記分析されたフォーマットの種類に基づいて、空間解像度、フレームレート、スキャン方式及び縦横比のうち少なくとも一つを利用することによって前記マルチメディアコンテンツをフォーマット変換する段階と、
前記変換されたマルチメディアコンテンツを、フォーマット変換に関する規定により、色座表の補正、色差補正、ガンマ補正、幾何補正及び画質調整のうち少なくとも一つの機能を調整することによって映像編集を行う段階と、
映像編集が行われた前記マルチメディアコンテンツにデジタルデータ処理を行い、前記マルチメディアコンテンツを前記ユーザ端末に転送可能な通信プロトコルに変換する段階と
を備える、請求項１８に記載の方法。
【発明の詳細な説明】
【技術分野】
【０００１】
本発明は、マルチメディアコンテンツ提供システム及びその方法に関するもので、特に、リアルタイム映像情報の提供及び維持、コンテンツ提供業務を支援するアプリケーションを通じて、映像情報を含む多様なコンテンツを迅速かつ正確に提供するマルチメディアコンテンツ提供システム及びその方法に関するものである。
【背景技術】
【０００２】
コンピュータの幅広い普及により、全世界のユーザは、時間と空間を共有できるインターネットを通じて、世界が一つのネットワークに繋がりつつある。従って、多くの企業や個人がインターネット上にウェブサイトを開設し、全世界のユーザに自社及び自社の製品を宣伝または情報を提供するだけでなく、探している情報を簡単に調べられるようになった。
【０００３】
すなわち、ユーザが、ウェブブラウザ（Ｗｅｂ  ｂｒｏｗｓｅｒ）を起動させてインターネットにアクセスした後、特定のＵＲＬ（Ｕｎｉｖｅｒｓａｌ  Ｒｅｓｏｕｒｃｅ  Ｌｏｃａｔｏｒ）を入力すれば、ウェブブラウザは該当ウェブサイトのあるサーバーにアクセスし、ユーザは、このウェブサイトから提供されるさまざまなテキスト、動画またはグラフィック情報を利用できる。
【０００４】
このように、全世界のインターネットユーザは、時間や空間の制約なしに、いつ、どこでもインターネットを利用できるので、様々な階層のユーザが、インターネット上で衣類、本、音楽ＣＤ、旅行商品などの各種商品（サービス商品を含む）を購入できる電子商取引のウェブサイトが開設され、積極的に運用されている。
【０００５】
しかし、前述した電子商取引のウェブサイトを利用する場合は、ユーザが特定のウェブサイトを訪問してアクセスすると、アクセスされたそのウェブサイトから提供される情報のみを検索することになるので、ユーザが求める商品情報または広報サービス情報を得るためには、ネットサーフィンをしながら他のウェブサイトに一々アクセスしなければならないといった手間がかかるため、ユーザは無駄な時間を費やすという問題が起きている。
【０００６】
従って、多様な商品情報及び広報サービス情報などのマルチメディアコンテンツを得るためには、他のウェブサイトを一々アクセスしなくても、統合したマルチメディアコンテンツをユーザに提供できるシステムの必要性が高まっている。
【発明の概要】
【発明が解決しようとする課題】
【０００７】
本発明は、少なくとも上記の問題を解決するためになされたものであって、その目的は、リアルタイムのショッピング映像情報及びコンテンツ提供業務を支援するアプリケーションを通じて、ショッピング情報（商品情報、商品やサービスに関する広報情報などのショッピング関連情報を含む、以下同様）を迅速かつ正確に提供するとともに、メディアプレイヤーを利用した直接的な購入機能を同時に提供することにより、インターネットユーザにとってショッピングを便利にすることである。
【０００８】
また、本発明の他の目的は、自分の商品やサービスを他のユーザにショッピング情報として提供したいユーザのＵＣＣ（Ｕｓｅｒ  ｃｒｅａｔｅｄ  Ｃｏｎｔｅｎｔ）ショッピング情報をアップロードして、他のユーザに多様なコンテンツを提供することにある。
【０００９】
また、本発明の他の目的は、ユーザ各自のコンピュータに多様なマルチメディアコンテンツ情報を提供するマルチメディアプレイヤーを実装させ、ユーザが一々ウェブサイトを訪問しなくても、リアルタイムで多様なメディアコンテンツを提供してもらえるようにすることにある。
【００１０】
また、本発明の他の目的は、コンテンツ提供者自身のウェブサイトに開設した広告、ネットショップ（ショッピングモール）、マーケティング資料などの利用が自然に増加し、それにより広報にかかる費用を新しいコンテンツの開発や顧客及びコミュニティー生成に投資することが可能になり、より多様なコンテンツの開発を支援することにある。
【００１１】
また、本発明の他の目的は、コンテンツサーバーを利用してマルチメディアフォーマットの変換を簡単な認証手続き一つで総合支援することにある。
【００１２】
また、本発明の他の目的は、自分の商品やサービスを他のユーザに提供したいユーザが制作及び保有しているＵＣＣ（Ｕｓｅｒ  Ｃｒｅａｔｅｄ  Ｃｏｎｔｅｎｔ）情報を、マルチメディアプレイヤーを利用し、コンテンツサーバーにアップロードして他のユーザに提供しやすくすることにある。
【００１３】
また、本発明の他の目的は、ユーザ各自のコンピュータに多様なマルチメディアコンテンツ情報を提供するマルチメディアプレイヤーを実装させ、ユーザが要求したフォーマット変換を通じてリアルタイムで提供することにある。
【００１４】
また、本発明の他の目的は、マルチメディアコンテンツに含まれた商品やサービス情報をリアルタイムで確認し、該当する商品やサービスを購入できるマルチメディアプレイヤーを提供することにある。
【課題を解決するための手段】
【００１５】
本発明の態様により提供されるマルチメディアコンテンツ提供システムは、マルチメディアコンテンツ情報を提供するために設置されたマルチメディアプレイヤーの実行により入力された商品情報または広報サービス情報のコンテンツを表示するユーザ端末と、ユーザ端末にマルチメディアプレイヤーの応用プログラムのダウンロードサービスを提供し、ウェブサイトで制作及び提供される商品情報や広報サービス情報のコンテンツを保存した後、ユーザの要求信号または自動実行プログラムの実行信号に基づいて、マルチメディアプレイヤーを通じて保存された情報をユーザ端末に提供するコンテンツサーバーを有している。
【００１６】
本発明の別の態様により提供されるマルチメディアコンテンツ提供方法は、会員契約が行われたウェブサイトから提供される商品情報及び広報サービス情報に基づいて入力されたマルチメディアコンテンツを受信及び保存する（ａ）段階と、会員加入が行われたユーザ端末にマルチメディアプレイヤー応用プログラムのダウンロードサービスを提供し、ユーザの端末にマルチメディアプレイヤーを実行させてユーザ端末との通信アクセスを行う（ｂ）段階と、保存されたマルチメディアコンテンツをユーザ端末に提供できるようにデータ処理を行う（ｃ）段階と、データ処理されたマルチメディアコンテンツをユーザの端末で実行されているマルチメディアプレイヤーに提供する（ｄ）段階を有している。
【００１７】
本発明のさらに別の態様により提供されるマルチメディアコンテンツの提供方法は、ユーザの端末にマルチメディアプレイヤー応用プログラムのダウンロードサービスを提供し、ユーザの端末にマルチメディアプレイヤーを実行させてユーザ端末との通信アクセスを行う（ａ）段階と、マルチメディアプレイヤーを通じ、ユーザが制作または保有しているマルチメディアコンテンツをアップロードし、そのアップロードされたマルチメディアコンテンツを要求されたフォーマットに変換する（ｂ）段階と、フォーマットが変換されたマルチメディアコンテンツをユーザ端末で実行されているマルチメディアプレイヤーに提供する（ｃ）段階を有している。
【発明の効果】
【００１８】
本発明のマルチメディアコンテンツの提供システム及びその方法は、次のような利点がある。
【００１９】
第一に、リアルタイムのショッピング映像情報及び新製品のショッピングコンテンツの提供業務を支援するアプリケーションを通じ、迅速かつ正確にショッピング情報を提供するとともに、メディアプレイヤーを利用した直接的な購入機能を提供することにより、便利なショッピングを可能にする。
【００２０】
第二に、他のユーザに自分の商品やサービスを提供したいユーザが、マルチメディアプレイヤーを利用して自分のＵＣＣ（Ｕｓｅｒ  Ｃｒｅａｔｅｄ  Ｃｏｎｔｅｎｔ）ショッピング情報をアップロードでき、これにより他のユーザに多様なコンテンツを提供するとともに、自分の商品のマーケティング活動を行うことができる。
【００２１】
第三に、ユーザは、ユーザ各自のコンピュータに多様なマルチメディアショッピングコンテンツ情報を提供するマルチメディアプレイヤーを実装させることによって、個々のウェブサイトを訪問しなくても、リアルタイムで多様なメディアショッピングコンテンツを簡単かつ容易に得られる。
【００２２】
第四に、ショッピングコンテンツ提供者のウェブサイトに開設された広告、ネットショップ（ショッピングモール）及びマーケティング資料の利用が自然に増加し、その結果、ショッピングコンテンツ提供者は、広報にかかる費用を、新しいショッピングコンテンツの開発や顧客及びコミュニティの生成の投資に転用できるようになり、より多様なショッピングコンテンツの開発を支援できる。
【００２３】
第五に、ユーザ各自のコンピュータに多様なマルチメディアコンテンツ情報を提供するマルチメディアプレイヤーが実装されると、ユーザは、マルチメディアプレイヤーを使って、ユーザ自身が制作または保有しているコンテンツのフォーマット変換をサーバーに要求できるとともに、フォーマット変換された該当のコンテンツをマルチメディアプレイヤーを通じてリアルタイムで提供してもらえるため、フォーマット変換にかかる無駄な時間を減らし、ＵＣＣアップロードのための別のコンテンツフォーマット変換ツールを必要としない。
【００２４】
第六に、ユーザは、マルチメディアプレイヤーから再生されるマルチメディアコンテンツに含まれた商品やサービス情報を確認し、リアルタイムで該当の商品やサービスを購入できる。
【００２５】
以下では、添付された図面を参照して本発明の好適な実施例を挙げ、本発明について詳細に説明を行う。
【図面の簡単な説明】
【００２６】
【図１】本発明の好適な実施例によるマルチメディアコンテンツ提供システムを示した図である。
【図２】本発明の好適な実施例によるマルチメディアプレイヤーの構造を示した図である。
【図３】本発明の好適な実施例によるコンテンツサーバーのブロック図である。
【図４】本発明の好適な実施例によるマルチメディアコンテンツ提供方法を示すフローチャートである。
【図５】本発明の好適な実施例によるデータ処理のフローチャートである。
【図６】本発明の別の好適な実施例によるコンテンツサーバーのブロック図である。
【図７】本発明の好適な実施例によるマルチメディアコンテンツのフォーマット変換サービスの提供方法を示すフローチャートである。
【図８】図２におけるマルチメディアプレイヤーの購入画面を示している。
【図９】図２におけるマルチメディアプレイヤーのＵＣＣ画面イメージを示している。
【発明を実施するための形態】
【００２７】
図１は、本発明の一つの実施例によるマルチメディアコンテンツ提供システムを示している。
【００２８】
図１のように、マルチメディアコンテンツ提供システムは、インターネットを通じてネットワークにつながり、マルチメディアコンテンツを互いに送受信する多数のウェブサイト１００、ユーザ端末２００及びコンテンツサーバー３００を備えている。
【００２９】
ウェブサイト１００は、国内外のテレビショッピング、ｅ−テレビショッピング、広告、広報、ＵＣＣ及び商品情報などのマルチメディアコンテンツを制作し、多数のユーザ端末２００に提供する。
【００３０】
ユーザ端末２００は、マルチメディアコンテンツの情報を提供するマルチメディアプレイヤーが設置されていて、ユーザの要求信号または自動実行プログラムの実行信号に基づいたマルチメディアプレイヤーの実行により、上記の多数のウェブサイト１００から制作及び提供されるマルチメディアコンテンツの提供を受け、複数のユーザのＰＣに表示する。
【００３１】
また、他の実施例において、ユーザ端末２００は、ユーザ自身が制作または保有しているマルチメディアコンテンツを、マルチメディアプレイヤーを通じてコンテンツサーバー３００にアップロードし、アップロードしたマルチメディアコンテンツのフォーマットをユーザが希望するフォーマットの種類に変換するようコンテンツサーバー３００に要求することができる。
【００３２】
好ましくは、ユーザ端末２００は、有線ネットワークにアクセスできる個人用コンピュータ、無線ネットワークにアクセスできる無線端末または携帯電話や携帯情報端末（ＰＤＡ）などの携帯用端末などで構成されるとよい。
【００３３】
コンテンツサーバー３００は、上記のユーザ端末２００にマルチメディアプレイヤー応用プログラムのダウンロードサービスを提供し、上記の多数のウェブサイト１００から各自制作及び提供するマルチメディアコンテンツに関する情報を保存した後、マルチメディアプレイヤーを通じて保存した情報をユーザ端末２００に提供する。
【００３４】
他の実施例において、上記のアップロードされたマルチメディアコンテンツは、ユーザが要求したフォーマットに変換された後、マルチメディアプレイヤーに連係したメッセンジャーまたはチャット方式を利用したリアルタイム情報提供のポップアップ画面によって、リアルタイムでユーザ端末２００に提供される。
【００３５】
参考までに、ウェブサイト１００は、自らテレビショッピングの生放送／収録放送及び製品など、様々な広告コンテンツを制作し、自分のウェブサイト１００を通じて提供する従来のネットショッピングのウェブサイトだけでなく、様々な方式でコンテンツデータベースを構築し、マルチメディアコンテンツを提供するあらゆる既存のウェブサイトを含む。
【００３６】
マルチメディアプレイヤーは、リアルタイムでマルチメディアコンテンツを提供したり、アップロードする機能を支援するアプリケーションである。マルチメディアプレイヤーは、ユーザ端末２００に応用プログラムの形でロードされ、ユーザ端末２００内の第１デスクトップ環境（つまり、通常のウィンドウズの画面やインターネットブラウザなど）と別の第２デスクトップ環境のウィンドウとして実装される。そして、第２デスクトップ環境のウィンドウは、上記の第１デスクトップ環境に隠すことができ、メッセンジャーまたはチャット方式を使ったリアルタイム情報提供のポップアップ画面を利用して、リアルタイムで実行される。
【００３７】
図２は、本発明の一つの実施例によるマルチメディアプレイヤーの構造を示している。
【００３８】
図２のように、マルチメディアプレイヤー４００は、コンテンツサーバー３００から転送されてユーザ端末２００に保存されたマルチメディアコンテンツを再生するための再生アクティブウィンドウ４３０と、上記のコンテンツサーバー３００によって支援される複数のマルチメディアコンテンツをタイトル別に構成メニュー（ショッピング、掲示板、娯楽チャンネル、映画、資料室、コミュニティなど）を並べて、ユーザが選択できるように表示されるメニュー選択画面４１０と、複数のマルチメディアコンテンツのうち少なくとも一つのコンテンツのテキストまたはグラフィック情報を表示するページ情報画面４２０を含む。
【００３９】
また、好ましいのは、マルチメディアプレイヤー４００は、検索された情報を検索エンジンに提供する検索画面（図示せず）をさらに具備し、これにより、検索画面にユーザが直接書き込んだキーワードを利用して、検索エンジンから該当する情報を検索できる。また、マルチメディアプレイヤー４００は、再生アクティブウィンドウ４３０及びページ情報画面４２０で提供される商品の周辺に形成される、商品の購入や保管を要求する購入ボタン４２５やショッピングカートボタン４２７を備えることができる。
【００４０】
さらに、メニュー選択画面４１０の各メニューには、ＵＣＣ動画に関連したサブメニュー（図示せず）が提供され、ＵＣＣ検索やＵＣＣアップロード、ＵＣＣファイルのフォーマット変換などが行われる。
【００４１】
また、図８のように、ユーザがマウス、キーボードまたは所定の制御ソフトウェアを使用し、再生アクティブウィンドウ４３０で再生される動画から特定のイメージを選択すると、そのイメージに関連した商品、広告、イメージ情報などがページ情報画面４２０に表示される。従って、ユーザは、表示されたイメージに関連した商品及びコンテンツを購入ボタン４２５によってリアルタイムで購入、またはショッピングカートボタン４２７を利用して別途保存してから購入できる。例えば、再生アクティブウィンドウ４３０で所定のドラマが再生されていて、ユーザがそのドラマの中の出演者が着ている衣装にマウスを当ててクリックすると、その衣装に関する情報及び関連商品などがページ情報画面４２０に表示される。従って、ユーザは、希望の商品を簡単に購入することができる。
【００４２】
また、本発明の他の実施例によるマルチメディアプレイヤー画面イメージを示した図９を参照すると、マルチメディアプレイヤー４００のメニュー選択画面４１０が、ページ情報画面４２０の左側に縦方向に設けられ、ＵＣＣメニュー４１５が独立したメニューとして提供される。ＵＣＣメニュー４１５は、ＵＣＣの種類によるＵＣＣサブメニュー４１７とＵＣＣ関連の命令メニュー４１２、４１４、４１６を設けることができる。
【００４３】
このタイプのＵＣＣメニュー４１５のシステムは、ユーザまたは商品やサービスの提供者が直接マルチメディアコンテンツを作成し、アップロードする環境により適している。そのために、ユーザが制作及び保有しているマルチメディアコンテンツ（ＵＣＣなど）のアップロードを通じてフォーマット変換を要求するフォーマット変換要求ボタン４１４が提供されることが望ましい。参考までに、フォーマット変換要求ボタン４１４は、ＵＣＣ関連の命令メニュー ４１２、４１４、４１６のいずれか一つとして配列されるような方法で実装されてもよい。
【００４４】
ユーザがフォーマット変換要求ボタンをクリックする場合に、ユーザが制作及び保有しているマルチメディアコンテンツ（ＵＣＣを含む）をアップロードできるアップロード画面（図示せず）が提供されてもよい。そして、アップロード画面は、ファイルを添付する添付ファイル画面と、マルチメディアコンテンツのタイトルを書き込むタイトル書込み画面と、少なくとも一つ以上の所望のフォーマットの種類を選択する変換フォーマット選択画面と、アップロードされるマルチメディアコンテンツを再生アクティブウィンドウ４３０またはページ情報画面４２０を通じて、事前に見られるように要求するプレビューボタンを含むことができる。このようにアップロードされたマルチメディアコンテンツは、コンテンツサーバー３００内でユーザが要求したフォーマットに変換された後、マルチメディアプレイヤーに連係したメッセンジャー及びチャット方式を使ったリアルタイム情報提供のポップアップ画面を通じてリアルタイムで提供される。この際、コンテンツサーバー３００は、フォーマット変換されたマルチメディアコンテンツをユーザ端末２００に転送することもできるが、要求したマルチメディアコンテンツのフォーマット変換の完了通知を送信するだけが好ましい。
【００４５】
次に、ユーザまたは他のユーザがＵＣＣ検索ボタンをクリックすると、コンテンツサーバー３００は、ページ情報画面４２０にＵＣＣ掲示板４１８を表示する。ＵＣＣ掲示板４１８には、番号、タイトル、作成者の情報及びフォーマットの種類がリストアップされている。従って、ユーザは、ＵＣＣ掲示板４１８にリストアップされたＵＣＣのうちいずれか一つを選択し、再生アクティブウィンドウ４３０またはページ情報画面４２０に再生することで、フォーマット変換されたマルチメディアコンテンツを確認する。さらに、ユーザは、確認したマルチメディアコンテンツをユーザ自身の端末機２００の記憶装置にダウンロードして使用することができる。また、フォーマット変換されたマルチメディアコンテンツは、ユーザの共有要求によって、他のユーザ達もＵＣＣ検索ボタン４１６を選択することで該当のマルチメディアコンテンツを共有して視聴することができる。
【００４６】
図３は、本発明の好適な実施例によるコンテンツサーバーを示している。
【００４７】
図３に示すように、コンテンツサーバー３００は、ネットワーク連結部３１０と、ウェブサイト認証部３２２及びユーザ認証部３２４を含む会員認証部３２０と、コンテンツ情報ＤＢ３３２、ウェブサイト情報ＤＢ３３４、ユーザ情報ＤＢ３３６及びＵＣＣ情報ＤＢ３３８を含む情報ＤＢ３３０と、データ分離部３４２、データフィルタリング部３４４、データ変換部３４６及びデータ処理部３４８を含むコンテンツ処理部３４０と、応用プログラム駆動部３５０を含む。
【００４８】
また、他の実施例において、コンテンツサーバー３００は、フォーマット分析部３６２、フォーマット変換部３６４及びフォーマット編集部３６６を含むフォーマット駆動部３６０をさらに含むことができる。
【００４９】
以下、各構成要素について具体的に説明する。
【００５０】
ネットワーク連結部３１０は、ユーザ端末２００及びウェブサイト１００とのデータ送受信を行い、ユーザ端末２００が通信アクセスをする際、入力する会員登録データまたはログインデータ及びフォーマット変換要求によりアップロードされるマルチメディアコンテンツがネットワーク連結部３１０に転送される。また、ネットワーク連結部３１０は、ウェブサイト１００から提供されるマルチメディアコンテンツを受信し、マルチメディアプレイヤー４００上に提供されるマルチメディアコンテンツ情報を配信する。
【００５１】
会員認証部３２０は、ユーザまたはウェブサイトがコンテンツサーバー３００の会員であるかを認証する手段である。会員認証部３２０は、商品情報及び広報サービス情報に基づくマルチメディアコンテンツを提供するために開設されて会員契約を結んだウェブサイトの認証を行うウェブサイト認証部３２２を含む。また、会員認証部３２０は、ユーザ自身が制作または保有しているＵＣＣ及び広報サービス情報のアップロードまたはフォーマット変換の要求、及びマルチメディアコンテンツ情報を得るために、会員加入済みのユーザを認証するユーザ認証部３２４を含む。
【００５２】
情報ＤＢ３３０は、会員情報及びマルチメディアコンテンツ情報を保存する手段である。情報ＤＢ３３０は、ウェブサイト１００から提供される商品情報及び広報サービス情報に基づくマルチメディアコンテンツ情報を保存するコンテンツ情報ＤＢ３３２と、マルチメディアコンテンツ情報を提供する会員として契約されたウェブサイト情報を保存するウェブサイト情報ＤＢ３３４を含む。特に、コンテンツ情報ＤＢ３３２は、ウェブサイト１００から提供される多様なコンテンツに含まれた特定のイメージに対する識別番号を保存することができる。すなわち、その固有番号は、ユーザがマウス、キーボードまたは所定の制御ソフトウェアを使って再生アクティブウィンドウ４３０で再生される動画から特定のイメージを選択（指定）した場合、該当するイメージの値と対応する識別番号を通じ、該当のイメージに関する情報（例えば、商品、サービス情報など）の抽出に利用できる。
【００５３】
また、情報ＤＢ３３０は、商品情報及び広報サービス情報に基づく多様なマルチメディアコンテンツ情報を得るために、会員として加入したユーザの情報を保存するユーザＤＢ３３６と、ユーザが自ら制作及び提供してアップロードしたＵＣＣ商品情報及び広報サービス情報を保存するＵＣＣ情報ＤＢ３３８を含む。
【００５４】
参考までに、別の実施例においては、ユーザＤＢ３３６のユーザ情報は、ユーザが制作または保有しているマルチメディアコンテンツのフォーマット変換を要求するための情報として使用できる。また、ＵＣＣ情報ＤＢ３３８は、ユーザが要求したフォーマットに変換されたマルチメディアコンテンツを保存できる。
【００５５】
コンテンツ処理部３４０は、会員契約されたウェブサイトから提供される商品情報及び広報サービス情報に基づくマルチメディアコンテンツ情報をユーザ端末２００に提供できるようにデータを処理するための手段である。コンテンツ処理部３４０は、ウェブサイト１００から提供されコンテンツ情報ＤＢ３３２に保存されたマルチメディアコンテンツを、データの属性別（オーディオ、ビデオ、動画、テキスト、グラフィックなど）に分類するデータ分離部と、データ分離部３４２を通じてデータの属性別に分類されたマルチメディアコンテンツを、定義された規定に適用し、規定の形式及び内容を含むコンテンツに分類するデータフィルタリング部３４４を含む。また、コンテンツ処理部（３４０）は、データフィルタリング部３４４を通じて分類されたコンテンツにデジタルデータ処理を行い、ユーザ端末２００に転送できるようにコンテンツを変換するデータ変換部３４６と、アクセス中のユーザ端末２００とのネットワークを通じてデータの転送速度を検査し、検査済みの転送速度を基準速度と比較してデータ変換部３４６で変換されたデータの転送方式を決定するデータ処理部３４８を含む。その際、データ処理部３４８で決定されるデータの転送方式は、ストリーミング方式とダウンロード方式のいずれかが好ましい。従って、ストリーミング方式によりデータを転送する場合には、リアルタイムの商品情報及び広報サービスをリアルタイムで提供できる。
【００５６】
応用プログラム駆動部３５０は、ユーザ端末２００にロードされたマルチメディアプレイヤー４００の動作及び駆動を制御し、ユーザが要求した制御命令信号に基づいて、特定のコンテンツに関する情報をユーザ端末２００にメッセンジャーまたはチャットなどを通じてリアルタイムで提供する。また、応用プログラム駆動部３５０は、ユーザがマウス、キーボード及び所定の制御ソフトウェアを使用し、再生アクティブウィンドウ４３０で再生される動画（またはマルチメディアコンテンツ）から特定のイメージを選択（指定）すると、その指定したイメージの入力値を受信でき、コンテンツ情報ＤＢ３３２から該当するイメージの値に対応する商品情報を抽出し、ユーザ端末２００にその抽出した情報を提供できる。その後、ユーザは、該当の商品情報を通じて該当の商品を購入できる。
【００５７】
図４は、本発明の好適な実施例によるマルチメディアコンテンツの提供方法を示している。
【００５８】
まず、コンテンツサーバー３００は、マーケティング情報、市場情報、製品関連情報、マーケティングのゼミナール資料及びその他の経済関連資料など、商品情報及び広報サービス情報に基づくマルチメディアコンテンツを制作及び提供する複数のウェブサイト１００によって入力されたウェブサイト情報を受信し、それぞれのウェブサイトと会員契約を行う（Ｓ４０１）。ここで、入力されたウェブサイト情報は、ウェブサイトの名前、住所、電話番号、事業者登録番号などの情報を含む認証に必要な情報であり、これらの情報はウェブサイト情報ＤＢ３３４に保存される。
【００５９】
そして、コンテンツサーバー３００は、会員契約された複数のウェブサイトを通じて提供されるマルチメディアコンテンツを受信し、そのような情報をコンテンツ情報ＤＢ３３２に保存する（Ｓ４１１）。
【００６０】
さらに、コンテンツサーバー３００は、会員加入を希望する複数のユーザが入力したユーザ情報を受信し、それぞれのユーザの会員加入手続きを行う。この際、入力されたユーザ情報は、名前、住所、電話番号、識別番号などの情報であり、これらの情報はユーザ情報ＤＢ３３６に保存される（Ｓ４２１）。会員加入済みのユーザは、自ら制作及び保有しているＵＣＣ商品情報及び広報サービス情報をコンテンツサーバー３００にアップロードし、ＵＣＣ情報ＤＢ３３８に保存できる。
【００６１】
さらに、コンテンツサーバー３００は、マルチメディアプレイヤー応用プログラムのダウンロードサービスを提供し、会員加入済みのユーザは、コンテンツサーバー３００から提供されるマルチメディアプレイヤー応用プログラムをユーザ自身の端末（２００）にダウンロードしてから、それを実行させる（Ｓ４３１）。
【００６２】
このように、ユーザ端末２００にマルチメディアプレイヤー応用プログラムが実行されると、ユーザ端末２００は、応用プログラム駆動部（３５０）を通じたウェブブラウザの実行により、コンテンツサーバー３００への通信アクセスが行われ、マルチメディアプレイヤー上で該当のプログラムが直ちに実行可能となる（Ｓ４４１）。参考までに、マルチメディアプレイヤー４００は、ユーザ端末２００に応用プログラムがロードされ、ユーザ端末２００内の第１デスクトップ環境とは別の第２デスクトップ環境のウィンドウに実装されたプレイヤーである。
【００６３】
すなわち、応用プログラムの実行によりウェブブラウザが実行されると、設定された通信環境（有線／無線インターネット網）により、コンテンツサーバー３００に各ユーザの通信アクセスが行われ、一度コンテンツサーバー３００との通信アクセスが行われると、該当のユーザ端末２００は、コンテンツサーバー３００から出力されるユーザのログイン画面のデータをマルチメディアプレイヤー４００を通じて提供される。そして、メイン画面上に表示されるログイン画面を通じ、各ユーザが入力するログインデータ（すなわち、ＩＤ及びパスワード）がコンテンツサーバー３００に出力される。そして、出力されたログインデータは、会員加入の際、会員情報が保存されたユーザ情報ＤＢ３３６のデータと比較して、該当のユーザが登録されたユーザであるかを判断した後、会員認証を行い、コンテンツサーバー３００にアクセスされる（Ｓ４５１）。
【００６４】
ユーザが認証されたユーザと判断され、ユーザ端末２００がコンテンツサーバー３００にアクセスすると、コンテンツサーバー３００は、コンテンツ情報ＤＢ３３２に保存されたマーケティング情報、市場情報、製品関連情報、マーケティングのゼミナール資料及びその他の経済関連資料などのマルチメディアコンテンツをコンテンツ処理部３４０からユーザ端末２００に提供できるようにデータ処理を行う（Ｓ４６１）。次の段階（Ｓ４７１）に先立ち、図５を参照して、コンテンツ処理部３４０で行うデータ処理の過程を説明する。
【００６５】
図５は、本発明の好適な実施例によるデータ処理を示している。
【００６６】
図５のように、上記のコンテンツ処理部３４０で行うデータ処理は、まずコンテンツ情報ＤＢ３３２に保存されたマルチメディアコンテンツをデータ分離部３４２を通じ、オーディオ、ビデオ、動画、テキスト及びグラフィックなどといったデータ属性別に分類する（Ｓ５０１）。
【００６７】
そして、データフィルタリング部３４４を通じて、データ分離部３４２でデータ属性別に分類されたコンテンツを定められた規定に適用して規定の形式及び内容を含むコンテンツを分類する（Ｓ５１１）。この際、当該定められた規定は、別々の審査委員がコンテンツを審査する方法で適用されるのが好ましいが、該当のコンテンツを視聴した他のユーザの評価点数または該当のコンテンツをアップロードしたユーザに対する評価点数を通じて適用されてもよい。評価点数においては、評価点数が閾値より低い場合は、該当のコンテンツが自動削除される方式を適用することもできる。従って、規定に適してないコンテンツは除去されることにより、ユーザが自ら制作及び提供してコンテンツサーバー３００にアップロードするＵＣＣ商品情報及び広報サービス情報など、危険要素を含むマルチメディアコンテンツを自らが点検して除去できるようになり、コンテンツサーバー３００の信頼性を高めることができる。
【００６８】
データフィルタリング部３４４により分類されたコンテンツにおいて、データ変換部３４６は、映像コンテンツに対して映像デジタルデータ処理を行い、テキスト及びグラフィックコンテンツに対してデジタルデータの処理を行い、ユーザ端末２００に転送可能な通信プロトコルに変換する（Ｓ５２１）。
【００６９】
そして、データがネットワークを通じてユーザ端末２００に転送される速度をデータ処理部３４８によって検査し、検査された速度を基準速度と比較して、データ変換部３４６で変換されたデータの転送方式を決定する（Ｓ５３１）。
【００７０】
この際、データ処理部３４８で決定されるデータの転送方式は、ストリーミング方式とダウンロード方式のいずれかが好ましい。基準速度は、映像データが再生される時間と映像データが転送される時間の差によって定義するのが好ましい。
【００７１】
従って、検査された転送速度が所定の基準速度と同じ速度または基準速度を超えると判断されると（Ｓ５４１）、データの転送が順調であると判断され、ストリーミング方式に変換されたコンテンツデータをユーザ端末２００に転送することによって、マルチメディアプレイヤーに再生されると同時に、残り部分のコンテンツデータを続けて転送しながら再生されるように処理する（Ｓ５５１）。しかしながら、検査された転送速度が、基準速度に満たないと判断されると（Ｓ５４１）、ストリーミング方式でコンテンツデータを転送する場合に切断されることがあるため、ダウンロード方式に変換されたコンテンツデータをユーザ端末２００に転送することによって、コンテンツデータの転送が完了された後でマルチメディアプレイヤーに再生されるように処理する（Ｓ５６１）。参考までに、コンテンツデータは、上記の二つの方式をいろいろと組み合わせて転送することもできる。このように、ストリーミング方式で映像データを転送することによって、ウェブサイト１００から提供されるテレビショッピングまたは製品関連情報によるマルチメディアコンテンツをリアルタイムで提供できる。
【００７２】
上述したように、コンテンツ処理部３４０を通じて一度データ処理が完了すると、応用プログラム駆動部３５０は、コンテンツ処理部３４０で処理されたデータをマルチメディアプレイヤー４００に提供する。そして、応用プログラム駆動部３５０は、ユーザ端末２００にロードされたマルチメディアプレイヤー４００の動作及び駆動を制御し、ユーザが要求した制御命令信号に基づいて特定のコンテンツに関する情報をコンテンツ情報ＤＢ３３２から検出し、ユーザ端末２００に提供する（Ｓ４７１）。
【００７３】
特に、ユーザが、マウス、キーボードまたは所定の制御ソフトウェアを使用して再生アクティブウィンドウ４３０で再生される動画から特定のイメージを選択すると、応用プログラム駆動部（３５０）は、指定したイメージの入力値を受信し、コンテンツ情報ＤＢ３３２で該当のイメージ値に対応する商品情報を抽出してユーザ端末２００に提供することができる。従って、表示されたイメージと関連した商品及びコンテンツを購入できる。
【００７４】
図６は、本発明の別の好適な実施例によるコンテンツサーバーを示している。
【００７５】
図６に示すように、コンテンツサーバー３００は、フォーマット分析部３６２、フォーマット変換部３６４及びフォーマット編集部３６６を含むフォーマット駆動部３６０をさらに備えることができる。
【００７６】
まず、フォーマット駆動部３６０は、ユーザ端末２００からフォーマット変換が要求されてアップロードされたマルチメディアコンテンツのフォーマットの種類（ＪＰＧ、ＧＩＦ、ＢＭＰ、ＭＰＥＧ、ＡＳＦ、ＷＭＡ、ＭＰＥＧ、ＭＰＥＧ２、ＤＶコーデックなど）を分析するフォーマット分析部３６２と、フォーマット分析部３６２で分析されたフォーマットの種類に基づいて要求されたフォーマットに適した空間解像度、フレームレート、スキャン方式及び縦横比などによってマルチメディアコンテンツを変換するフォーマット変換部を含む。また、フォーマット駆動部３６０は、フォーマット変換の規定によってマルチメディアコンテンツの映像編集をするフォーマット編集部３６６を含む。以下では、図７を参照して、図６の構成要素を利用したマルチメディアコンテンツのフォーマット変換サービスの提供方法に関して説明する。なお、図４及び図５の過程と関連づけて説明するが、重複する記載は省くことにする。
【００７７】
図７は、本発明の別の好適な実施例によるマルチメディアコンテンツにおけるフォーマット変換サービスの提供方法を示している。
【００７８】
図４のＳ４６１段階において、認証されたユーザは、自ら制作及び保有しているＵＣＣ商品情報及び広報サービス情報などのマルチメディアコンテンツをコンテンツサーバー３００にアップロードし、ＵＣＣ情報ＤＢ３３８に保存している。
【００７９】
図５のＳ５０１及びＳ５１１段階を経て、データフィルタリング部３４４によって分類されたマルチメディアコンテンツに対して、ユーザがコンテンツサーバー３００にアップロードする際、またはアップロードした後で、フォーマット変換要求ボタンをクリックすることによってフォーマット変換要求を行う（Ｓ７０１）。
【００８０】
次に、フォーマット変換を要求すると、フォーマット分析部３６２は、ユーザがアップロードし、ＵＣＣ情報ＤＢ３３８に保存された該当のマルチメディアコンテンツのフォーマットの種類（ＪＰＧ、ＧＩＦ、ＢＭＰ、ＭＰＥＧ、ＡＳＦ、ＷＭＡ、ＭＰＥＧ、ＭＰＥＧ２、ＤＶコーデックなど）を分析する（Ｓ７１１）。
【００８１】
その後、フォーマット変換部３６４は、分析されたフォーマットの種類に基づき、空間解像度、フレームレート、スキャン方式及び縦横比など利用して、マルチメディアコンテンツのフォーマットをユーザが要求したフォーマットに変換する（Ｓ７２１）。
【００８２】
次に、フォーマット編集部３６６は、フォーマット変換部３６４で変換されたマルチメディアコンテンツをフォーマット変換に関する規定により、色座表の補正、色差補正、ガンマ補正、幾何補正及び画質調整などの機能を調整する映像編集を行う（Ｓ７３１）。
【００８３】
その後、Ｓ５２１段階に続く処理が行われる。応用プログラム駆動部３５０は、ユーザ端末２００に、ユーザが要求したマルチメディアコンテンツ、またはマルチメディアプレイヤーに連係したリアルタイム情報提供のポップアップ画面によって要求したフォーマット変換の完了をリアルタイムで通知し、ユーザの再生要求に従い、マルチメディアコンテンツをマルチメディアプレイヤーに再生させる。
【００８４】
従って、ユーザがコンテンツサーバー３００に自ら制作及び保有しているマルチメディアコンテンツを希望のフォーマットに変換する要求を行った後で、ユーザは、フォーマット変換処理とは別の作業を行うためにユーザ自身の端末２００を利用できる。その後、ユーザは、マルチメディアプレイヤーに連係されたリアルタイム情報提供のポップアップ画面を通じてコンテンツサーバー３００からフォーマット変換の完了通知を受信することにより、ユーザが自ら制作または保有しているマルチメディアコンテンツを容易にフォーマット変換し、ユーザ自身の動画ブログ及び映像サイトまたは特別に提供されたプレイヤーのフォーマットに合わせて使用することができる。
【００８５】
マルチメディアプレイヤーの駆動及びユーザの制御方法を図８を参照して、詳細に説明する。
【００８６】
図８は、本発明の好適な実施例によるマルチメディアプレイヤーの購入画面を示している。
【００８７】
コンテンツサーバー３００は、応用プログラム駆動部３５０を通じて認証されたユーザ端末２００にマルチメディアプレイヤー４００を実行させる。
【００８８】
そうすると、初期画面に、メニュー選択画面４１０は、コンテンツ情報ＤＢ３３２に保存されたマルチメディアコンテンツ情報またはユーザが制作及び保有してアップロードしたＵＣＣ商品情報及び広報サービス情報に基づいたマルチメディアコンテンツを、メインタイトル別に構成メニューとして並べてユーザが選択できるように表示することができる。そして、ページ情報画面４２０は、メニュー選択画面４１０に並べられた構成メニューのうち、任意に選択された構成メニューに該当するマルチメディアコンテンツのサブタイトルとして、テキストまたはグラフィック情報を表示する。
【００８９】
この際、ページ情報画面４２０の初期画面は、コンテンツ情報ＤＢ３３２に保存された最新のテキストまたはグラフィック情報を所定の期間単位でアップロードして表示するのが好ましい。そして、再生アクティブウィンドウ４３０は、コンテンツ情報ＤＢ３３２に保存された最新の動画情報をアップロードして表示するように、または基本初期画面（静止画または動画）を表示するように定義されるのが好ましい。この際、メニュー選択画面４１０は、固定された構成メニューから構成され、製品、テレビショッピング、ｅ−テレビショッピング、マーケティング、掲示板などを備えることができる。また、メニュー選択画面４１０に放送、娯楽、資料室、コミュニティなどをさらに備えることもできる。
【００９０】
従って、ユーザは、ユーザ自身の端末２００で上述した初期画面を有するマルチメディアプレイヤー４００を視聴した後、端末２００に接続された外部入力装置を利用することによって、メニュー選択画面４１０にあるメインタイトルを選択する。
【００９１】
そうすると、応用プログラム駆動部３５０は、選択されたメインタイトルに該当する複数のサブコンテンツをコンテンツ情報ＤＢ３３２で検索し、ページ情報画面４２０に検索したコンテンツをテキストまたはグラフィック情報として表示する。また、ユーザがページ情報画面に表示されたサブタイトルの中で少なくとも一つをクリックすることで、コンテンツ情報ＤＢ３３２に保存された該当のサブコンテンツに相当するマーケティング情報、市場情報、製品関連情報、マーケティングのゼミナール資料及びその他の経済関連資料など、商品情報及び広報サービス情報であるマルチメディアコンテンツが提供される。そして、提供されたマルチメディアコンテンツが商品情報及び広報サービス情報に基づく音楽、映画またはビデオなどを含む場合は、該当の動画コンテンツデータが再生アクティブウィンドウ４３０で再生される。
【００９２】
その後、ユーザは、再生アクティブウィンドウ４３０及びページ情報画面４２０から提供された商品を購入するために、購入ボタン４２５をクリックすることによってコンテンツサーバー３００に購入要求を送信できる。
【００９３】
特に、ユーザが再生アクティブウィンドウ４３０を通じ、ある放送（ドラマ、ショー番組など）を視聴している最中に、マウス、キーボードまたは所定の制御ソフトウェアを使用し、再生アクティブウィンドウ４３０で再生される動画から特定のイメージを選択すると、そのイメージと関連した商品、広告及び上記のイメージ情報などがページ情報画面４２０に表示される。すなわち、応用プログラム駆動部３５０は、画像の入力値を受信し、コンテンツ情報ＤＢ３３２で該当の画像の値に対応する商品情報を抽出して、ページ情報画面４２０に抽出した商品情報を表示する。それゆえ、ユーザは、購入ボタン４２５をクリックしてコンテンツサーバー３００に購入要求を送信できる。
【００９４】
こうしてユーザ端末２００を通じて購入要求が転送されると、応用プログラム駆動部３５０は、ユーザ情報ＤＢ３３６に保存された該当のユーザ情報を、該当の商品情報を制作または提供した該当のウェブサイト１００に提供することによって、購入手続きを行う。この際、商品の購入及び質疑に対する回答、物流会社との連動、クレジットカード及びオンライン振込みシステムとの連動を通じて、マルチメディアプレイヤーに紹介された商品に対するサンプル購入及び大量購入ができる。参考までに、商品購入の手続きは、商取引による公知技術を利用するため、それに関する詳細な説明は省略する。
【００９５】
図９は、マルチメディアプレイヤーのＵＣＣ画面イメージを示している。
【００９６】
会員加入済みのユーザは、自ら制作または保有しているＵＣＣ商品情報及び広報サービス情報をコンテンツサーバー３００にアップロードしてＵＣＣ情報ＤＢ３３８に保存することができる。すなわち、図９に示すように、ユーザは、ＵＣＣアップロードボタン４１２をクリックし、自ら制作したＵＣＣ動画をアップロードできる。
【００９７】
ここで、ユーザが制作及び保有しているマルチメディアコンテンツのアップロードを通じてフォーマット変換の要求を行うために、フォーマット変換要求ボタン４１４をクリックすると、アップロードされてＵＣＣ情報ＤＢ３３８に保存された該当のマルチメディアコンテンツのフォーマットの種類（ＪＰＧ、ＧＩＦ、ＢＭＰ、ＭＰＥＧ、ＡＳＦ、ＷＭＡ）が分析され、メディアコンテンツのフォーマットが、その分析されたフォーマットの種類による空間解像度、フレームレート、スキャン方式及び縦横比に基づいて、ユーザの要求したフォーマットに変換される。そして、変換されたマルチメディアコンテンツは、フォーマット変換に関する規定により、色座表の補正、色差補正、ガンマ補正、幾何補正及び画質調整などの映像編集が行われる。
【００９８】
このようにしてユーザが要求したフォーマットに変換されたマルチメディアコンテンツは、マルチメディアプレイヤーに連係されたメッセンジャーまたはチャット方式を利用するリアルタイム情報提供のポップアップ画面を通じてリアルタイムで提供される。このように、コンテンツサーバー３００は、ユーザ端末で実行されるマルチメディアプレイヤーに、フォーマット変換されたマルチメディアコンテンツを転送することもできる。しかしながら、それとは別に、該当のマルチメディアコンテンツのフォーマット変換が完了したことをユーザに通知するテキストメッセージを、マルチメディアプレイヤーに連係したメッセンジャーまたはチャット方式を利用するリアルタイム情報提供のポップアップ画面を通じて提供することもできる。
【００９９】
そして、ユーザがＵＣＣ検索ボタン４１６を選択すると、コンテンツサーバー３００は、ページ情報画面４２０に、番号、タイトル、作成者の情報及びフォーマットの種類がリストされたＵＣＣ掲示板４１８を表示する。次に、ユーザは、ＵＣＣ掲示板４１８にリストアップされたＵＣＣのうちいずれか一つを選択し、再生アクティブウィンドウ４３０またはページ情報画面（４２０）に再生させることによって、フォーマット変換されたマルチメディアコンテンツを確認する。さらに、ユーザは、確認したマルチメディアコンテンツをユーザ自身の端末２００にダウンロードして使用する。そして、ユーザは、フォーマット変換されたマルチメディアコンテンツを、ユーザ自身の動画ブログ及び映像サイトまたは特別に提供されたプレイヤーのフォーマットに合わせてアップロードまたは再生する。
【０１００】
以上、マルチメディアコンテンツのフォーマット変換について、主にアップロードされるＵＣＣ動画と関連して説明してきた。しかしながら、本発明のマルチメディアプレイヤー及びコンテンツサーバーを通じて提供されるフォーマット変換機能は、必ずしもその場合に限られるものではなく、フォーマット変換機能は、一般的なコンピュータイメージ／ビデオファイルのフォーマット変換用にも利用できることは言うまでもない。
【０１０１】
本発明の好適な実施例を添付の図面を参照して説明したが、当業者は、付随する請求項に開示されるように、本質的特徴や本発明の範囲及び趣旨を逸脱することなく、種々の変更、追加、及び代替が可能であることを理解するであろう。従って、上述した実施例は、限定的ではなく、単に例示的なものであることを理解しなければならない。
【図１】
2010529702.tif 000003
【図２】
2010529702.tif 000004
【図３】
2010529702.tif 000005
【図４】
2010529702.tif 000006
【図５】
2010529702.tif 000007
【図６】
2010529702.tif 000008
【図７】
2010529702.tif 000009
【図８】
2010529702.tif 000010
【図９】
2010529702.tif 000011
【国際調査報告】
2010529702.tif 000012
2010529702.tif 000013